Podtech/llm-jp-corpus-v4-ja_patent huggingface dataset:
【手続補正書】
【提出日】平成27年9月3日(2015.9.3)
【手続補正１】
【補正対象書類名】特許請求の範囲
【補正対象項目名】全文
【補正方法】変更
【補正の内容】
【特許請求の範囲】
【請求項１】
酸官能基を含有する親水性ポリマーと、疎水性ポリマー骨格に直接結合するアミン基を含有し、そしてエチレンオキシド部分を含まないか、プロピレンオキシド部分に対する比が３未満であるエチレンオキシド部分を含むかのいずれかである、疎水性ポリマーとの非共有結合性反応組成物を含有する組成物。
【請求項２】
親水性ポリマーの酸官能基が、カルボン酸基、スルホン酸基およびホスホン酸基の少なくともひとつである、請求項１に記載の組成物。
【請求項３】
酸官能基を含有する親水性ポリマーが：
（Ｉ）ポリアクリル酸ポリマー；
（ＩＩ）スルホン酸基を含有するモノマーを含有する、ホモポリマーまたはコポリマー；
（ＩＩＩ）酸性基を含有する多糖類；
からなる群より選択される、請求項１に記載の組成物。
【請求項４】
酸性官能基を含有する親水性ポリマーであるポリマーＢが、バルク、ディスパージョンまたはエマルジョンである、請求項１に記載の組成物。
【請求項５】
疎水性ポリマー骨格に直接結合するアミン基を含有する疎水性ポリマーが、シリコーンポリマーである、請求項１に記載の組成物。
【請求項６】
シリコーンポリマーが、アミノシリコーンポリマーである、請求項５に記載の組成物。
【請求項７】
疎水性ポリマー骨格に直接結合するアミン基を有する疎水性ポリマーが：
（ｉ）プロピレンオキシドに基づくポリエーテルアミン；
（ｉｉ）Ｒ１ＮＨ２
および
【化１】
2015500353.tif 000001
（式中、ｑは、１〜およそ１０００であり；そして
Ｒ１＝Ｒ３（ＯＣａＨ２ａ）ｍ−
（式中、Ｒ３＝Ｈ、または
Ｒ３＝（ＣｎＨ２ｎ＋１）−（式中、ｎは、１〜３０の整数である）；または
Ｒ３＝（ＣｎＨ２ｎ−１）−（式中、ｎは、２〜３０の整数である）；または
Ｒ３＝（ＣｎＨ２ｎ−３）−（式中、ｎは、４〜３０の整数である）であり、そして
ｍ＝０または１〜２００の整数であり、ａは、２〜４の整数である）である）
との反応に由来する、直鎖アミノシリコーンコポリマー；
（ｉｉｉ）［ＡＢ］ｎ構造を有するアミノシリコーンコポリマー；
（ｉｖ）Ｒ１Ｒ２ＮＨ
（式中、Ｒ１＝Ｒ３（ＯＣａＨ２ａ）ｍ−（式中、Ｒ３＝（ＣｎＨ２ｎ＋１）−（式中、ｎは、１〜３０の整数である）、またはＲ３＝（ＣｎＨ２ｎ−１）−（式中、ｎは、２〜３０の整数である）、またはＲ３＝（ＣｎＨ２ｎ−３）−（式中、ｎは、４〜３０の整数である）であり、そしてｍ＝０または１〜２００の整数であり、そしてａは、２〜４の整数である）であり、Ｒ２＝ＨまたはＲ４（ＯＣｃＨ２ｃ）ｏ−（式中、Ｒ４＝（ＣｑＨ２ｑ＋１）−（式中、ｑは、１〜３０の整数である）、またはＲ４＝（ＣｑＨ２ｑ−１）−（式中、ｎは、２〜３０の整数である）、またはＲ４＝（ＣｑＨ２ｑ−３）−（式中、ｎは、４〜３０の整数である）であり、そしてｏ＝０または１〜２００の整数であり、そしてｃは、２〜４の整数である）である）；および
【化２】
2015500353.tif 000002
（式中、ｑは、２〜１０００の整数、具体的には１０〜５００である）
との反応に由来する、（ＡＢＡ）構造（式中、Ｂは、シロキサンブロックである）を有するアミノシリコーンコポリマー；
（ｖ）一般式：
Ｒ３−ｙＱｙＳｉＯ［Ａ］ｘＳｉＱｚＲ３−ｚ
式中、Ａは、Ｒ２ＳｉＯを表し、
Ｒは、１〜５の炭素のアルキル基、またはフェニル基、またはアルコキシ基または水酸基であり、
Ｑは、式−Ｒ２Ｚ（式中、Ｒ２は、３〜６の炭素の二価のアルキレンラジカルであり、
Ｚは、−Ｎ（Ｒ３）２または−ＮＲ３（ＣＨ２）ｎＮ（Ｒ３）２（式中、Ｒ３は、個々に水素原子、または１〜２０の炭素原子のアルキル基、フェニルまたはベンジルである）である）で表されるアミン官能基であり、そしてｘは、１〜３０００であり、ｙは、０〜３であり、ｚは、１〜３であり、ｎは、２〜６である
で表される、少なくとも一つの末端アミノ官能基を有するアミノ末端シリコーン；
およびそれらの組み合わせからなる群より選択される、請求項１に記載の組成物。
【請求項８】
酸官能基を含有する親水性ポリマーおよび疎水性ポリマー骨格に直接結合するアミン基を含有する疎水性ポリマーが、アミン／酸比率がおよそ１：２０〜およそ２：１であるような量で存在する、請求項１に記載の組成物。
【請求項９】
該組成物が、布地処理用組成物以外である、請求項１に記載の組成物。
【請求項１０】
非共有結合をした反応生成物が、少なくとも一つの水素結合または少なくとも一つのイオン結合を含む、請求項１に記載の組成物。
【請求項１１】
非共有結合性反応生成物が、酸官能基を含有する親水性ポリマーおよび疎水性ポリマー骨格に直接結合するアミン基を有する疎水性ポリマーの未反応混合物の粘度と比較して、無水条件下で少なくとも一桁の粘度増加を有する、請求項１に記載の組成物。
【請求項１２】
組成物が希釈剤を含有し、そして、酸官能基を含有する親水性ポリマー、疎水性ポリマー骨格に直接結合するアミン基を有する疎水性ポリマーおよび希釈剤の未反応混合物の粘度と比較して、無水条件下で少なくとも一桁の粘度増加を有する、請求項１に記載の組成物。
【請求項１３】
該希釈剤が、エステル、鉱物油、トリグリセリド油、低粘度シリコーンオイルおよびそれらの組み合わせからなる群より選択される、請求項１に記載の組成物。
【請求項１４】
請求項１に記載の組成物を含有する、水性乳剤。
【請求項１５】
パーソナルケア用途、化粧品用途、繊維用途、石油抽出用途、コーティング用途、ペンキ用途、農業用途、滑沢剤用途、高温で不可逆の増粘を必要とする用途、および乳化用途からなる群より選択される用途であって、該用途が請求項１に記載の組成物を含む。
【請求項１６】
請求項１に記載の組成物を含有する、パーソナルケア用途。
【請求項１７】
請求項１に記載の組成物を含有する、ヘアケアまたはスキンケア用途。
【請求項１８】
酸官能基を含有する親水性ポリマー；疎水性ポリマー骨格に直接結合するアミン基を含有し、そしてエチレンオキシド部分を含まないか、プロピレンオキシド部分に対する比が３未満であるエチレンオキシド部分を含むかのいずれかである、疎水性ポリマーを非共有結合的に反応させるステップを含有する、組成物の作製プロセス。
【請求項１９】
請求項１８に記載のプロセスによって作製された組成物を含有する、パーソナルケア用途。
【請求項２０】
請求項１８に記載のプロセスによって作製された組成物を含有する、ヘアケアまたはスキンケア用途。
【誤訳訂正書】
【提出日】平成27年3月4日(2015.3.4)
【誤訳訂正１】
【訂正対象書類名】特許請求の範囲
【訂正対象項目名】全文
【訂正方法】変更
【訂正の内容】
【特許請求の範囲】
【請求項１】
ＰＩＴＸ２遺伝子内の１つ以上のＣｐＧ配列のメチル化レベルの決定に基づいて、手術治療後に前立腺癌または前立腺腫瘍が再発する危険性を予測する方法であって、
前立腺癌または前立腺腫瘍を有する対象から取得した前立腺組織試料を提供するステップ、
前記前立腺組織試料内でのＰＩＴＸ２遺伝子内の１つ以上のＣｐＧ配列のメチル化レベルを決定するステップであって、前記ＰＩＴＸ２遺伝子のメチル化レベルが提供されるステップ、及び、
手術治療後に前立腺癌または前立腺腫瘍が再発する危険性を予測するステップ
を含み、
臓器限局前立腺癌の患者群の中央値よりも低い前記ＰＩＴＸ２遺伝子の低メチル化が、前記対象の癌が再発する危険性が、前記中央値よりも高いメチル化レベルを有する患者と比較して低いことを示す、方法。
【請求項２】
前記対象のノモグラム、ＰＳＡ値およびグリーソンスコアの少なくとも１つを決定するステップを更に含む、請求項１に記載の方法。
【請求項３】
前記メチル化レベルに基づいて、前記対象に適切な手術後アジュバント処置を決定するために有用な情報を提供するステップをさらに含む、請求項１又は２に記載の方法。
【請求項４】
前記前立腺癌または前立腺腫瘍がＴ２前立腺癌である、請求項３に記載の方法。
【請求項５】
前記前立腺癌または前立腺腫瘍がグリーソンスコア８以上を有する前立腺癌である、請求項１〜３のいずれかに記載の方法。
【請求項６】
前記対象から得た前立腺組織試料から分離したゲノムＤＮＡを、前記ゲノムＤＮＡの少なくとも１つの標的領域内で、メチル化および非メチル化ＣｐＧジヌクレオチドを識別する少なくとも１つの試薬または一連の試薬に接触させるステップを含み、前記標的領域は、ＰＩＴＸ２遺伝子の少なくとも１６の隣接するヌクレオチドの配列を備えるか、またはストリンジェントな条件下でハイブリダイズし、前記隣接するヌクレオチドは、少なくとも１つのＣｐＧジヌクレオチド配列を備える、請求項１〜５のいずれかに記載の方法。
【誤訳訂正２】
【訂正対象書類名】明細書
【訂正対象項目名】０５２０
【訂正方法】変更
【訂正の内容】
【０５２０】
考察
ＰＩＴＸ２、配列番号：３５、およびＧＰＲ７はすべて、中央値メチル化レベルがカットオフとして使用されるとき、重要な予後情報を示す。メチル化カットオフを中央値より高く設定することは、これら３つのマーカーの性能を向上させる。これは、マーカーの陽性群を減少させて、検定の特異性を増加させる効果を有する。中央値メチル化レベルは、配列番号：６３のためには最適ではない。その代わりに、より低いカットオフは、このマーカーのために良好および不良予後の群をより明瞭に分類する。これら４つのマーカーのための最適化されたメチル化カットオフ値はすべて、それぞれのアッセイが技術的によく適している範囲内に収まる。
【誤訳訂正書】
【提出日】平成27年9月14日(2015.9.14)
【誤訳訂正１】
【訂正対象書類名】特許請求の範囲
【訂正対象項目名】全文
【訂正方法】変更
【訂正の内容】
【特許請求の範囲】
【請求項１】
開口端を有する外管と、
前記開口端と連結しているノズルチップであって、前記開口端の直径と同じ直径を有する前記ノズルチップと、
前記ノズルチップに連結しているオリフィスであって、前記外管内に在る前記オリフィスと、
前記オリフィスに連結している内部混合ゾーンであって、前記外管内に在る前記内部混合ゾーンと、
前記内部混合ゾーンに連結している開口端をさらに含んでいる前記外管内に在る内管と
を含む触媒噴射ノズルであって、
霧化用ガスと少なくとも１つの液体触媒とがなす定常状態の均一相の流動様式が、前記内部混合ゾーン内で、霧化用ガス対液体触媒の０．０５：１から１０：１までの流量比では生じず、
前記少なくとも１つの液体触媒が、チーグラー−ナッタ触媒、メタロセン触媒、及び少なくとも１つのπ結合配位子を有する遷移金属を含む群から選択され、
前記霧化用ガスが、窒素、プロピレン、希ガス、超臨界流体、およびそれらの組合せを含む群から選択される、触媒噴射ノズル。
【請求項２】
該オリフィスの軸方向長さ対該ノズルチップの直径が、５００：１から０．１：１までである、請求項１に記載のノズル。
【請求項３】
上流圧力対下流圧力の比が、１．０５：１から２：１であり、ここで前記上流圧力は前記内部混合ゾーンにおける圧力を指し、前記下流圧力は前記触媒噴射ノズルから触媒が噴射される重合反応器中の圧力を指す、請求項１に記載のノズル。
【請求項４】
少なくとも１つのモノマーを気相重合反応器中に供給するステップと、
少なくとも１つの液体触媒を霧化用ガスと共に請求項１に記載の少なくとも１つの触媒噴射ノズルにより該重合反応器中に注入するステップと
を含む、前記請求項１に記載の少なくとも１つの触媒噴射ノズルを有する気相重合反応器中でポリマーを製造する方法であって、
該少なくとも１つの液体触媒を気相重合条件で注入するステップが、該少なくとも1つのモノマーの重合反応を開始するものであり、
該少なくとも１つの液体触媒が、液体触媒、スラリーベースの触媒、およびそれらの組合せを含む群から選択される、方法。
【請求項５】
該少なくとも１つの液体触媒が、チーグラー−ナッタ触媒およびメタロセン触媒を含む群から選択される、請求項４に記載の方法。
【請求項６】
該霧化用ガスが、窒素、プロピレン、希ガス、超臨界流体、およびそれらの組合せを含む群から選択される、請求項４に記載の方法。
【請求項７】
該霧化用ガスおよび少なくとも１つの液体触媒が、０．０５：１〜１０：１の比率で注入される、請求項４に記載の方法。
【請求項８】
該少なくとも１つのモノマーが、Ｃ２〜Ｃ２０ α−オレフィンおよびＣ６〜Ｃ２０ジエンを含む群から選択される、請求項４に記載の方法。
【請求項９】
該ジエンが、シクロペンタジエン、エチリデンノルボルネン、エチリデンノルボルナジエン、スチレン、ブタジエン、およびそれらの組合せを含む群から選択される、請求項８に記載の方法。
【請求項１０】
１つまたは複数の凝集助剤を該重合反応器に添加するステップをさらに含む、請求項４に記載の方法。
【請求項１１】
該１つまたは複数の凝集助剤がカーボンブラックである、請求項１０に記載の方法。
【請求項１２】
カーボンブラックの該ポリマーに対する割合が、１００ポンド（４５．４ｋｇ）のポリマー当り５ポンド（２．３ｋｇ）から３５ポンド（１５．９ｋｇ）までのカーボンブラックの範囲である、請求項１１に記載の方法。
【請求項１３】
請求項４に記載の方法によって製造された砕けやすいポリマー組成物であって、触媒担体がなく、１．５から３．５までの範囲のＤ比を有し
ここで、Ｄ比は下記式
【化１】
2011516241.tif 000001
で表され、上記Ｄ５０は、重量で５０％の粒子が通過することが可能な理論上の篩の穴の大きさであり、Ｄ９０は、重量で９０％の粒子が通過することが可能な篩の穴の大きさを意味し、Ｄ１０は、重量で１０％の粒子が通過することが可能な篩の大きさである、
ポリマー組成物。
【請求項１４】
１００，０００から５，０００，０００グラム／モルの重量平均分子量を有する、請求項１３に記載のポリマー組成物。
【請求項１５】
該ポリマーの全体重量を基準として、２０から９５重量パーセントのエチレンもしくはプロピレン、またはそれらの組合せ、および０を超え、１０重量パーセントまでの量のジエンモノマーを含むインターポリマーを含む、請求項１３に記載のポリマー組成物。
【請求項１６】
エチレンベースのポリマーおよびプロピレンベースのポリマーの少なくとも1つを含む、請求項１３に記載のポリマー組成物。
【請求項１７】
ＥＰＤＭゴムを含む、請求項１３に記載のポリマー組成物。
【誤訳訂正２】
【訂正対象書類名】明細書
【訂正対象項目名】００３８
【訂正方法】変更
【訂正の内容】
【００３８】
混合ゾーン２１０と、内管２０４の最も近い末端は離れており、この間隔が離れていることにより流れ緩衝装置として作用し、霧化用ガスと液体触媒の混合物の流れのばらつきを減少させるように制御する。いくつかの実施形態において、流路に沿った内部混合ゾーン２２０の長さを示す内部混合チャンバー２０８の始まり（内管２０４の最も近い末端）と混合ゾーン２１０の末端（オリフィス２１１への入り口）の間の間隔は、約０．５インチ（１２．７ミリメートル）から約１．５インチ（３８．１ミリメートル）までであり、好ましくは約１．０インチ（２５．４ミリメートル）である。
【誤訳訂正書】
【提出日】平成27年6月16日(2015.6.16)
【誤訳訂正１】
【訂正対象書類名】明細書
【訂正対象項目名】００４３
【訂正方法】変更
【訂正の内容】
【００４３】
用語“亜鉛／クロミア触媒”について、我々はクロムまたはクロムの化合物および亜鉛または亜鉛の化合物を含んでなる触媒を意味する。このような触媒は当業界で知られている；例えば参照によりここに組み込まれるＥＰ‐Ａ‐０５０２６０５、ＥＰ‐Ａ‐０７７３０６１、ＥＰ‐Ａ‐０９５７０７４およびＷＯ９８／１０８６２参照。しかしながら、２４３ｄｂのフッ素化を促進して式ＣＦ３ＣＨＦＣＨ２Ｘの化合物を生成するために、および所望により式ＣＦ３ＣＨＦＣＨ２Ｘの化合物の脱ハロゲン化水素を促進して１２３４ｙｆを生成するために亜鉛／クロミア触媒が用いうることを、本発明者らは意外にも発見したのである。亜鉛／クロミア触媒の存在下で２４３ｄｂから出発して１２３４ｙｆを生成する組合せフッ素化／脱ハロゲン化水素は特に予測外である。
【誤訳訂正２】
【訂正対象書類名】特許請求の範囲
【訂正対象項目名】全文
【訂正方法】変更
【訂正の内容】
【特許請求の範囲】
【請求項１】
（ａ）亜鉛／クロミア触媒の存在下で１，１，１‐トリフルオロ‐２，３‐ジクロロプロパン（２４３ｄｂ）をフッ化水素（ＨＦ）と接触させて、式ＣＦ３ＣＨＦＣＨ２Ｘを有する化合物（ＸはＣｌまたはＦである）を生成すること、および
（ｂ）式ＣＦ３ＣＨＦＣＨ２Ｘの化合物を脱ハロゲン化水素して１２３４ｙｆを生成すること
を含んでなり、前記亜鉛／クロミア触媒が（ｉ）クロムまたはクロムの化合物、および（ｉｉ）０．０１〜２５重量％の亜鉛または亜鉛の化合物を含む、２，３，３，３‐テトラフルオロプロペン（１２３４ｙｆ）の製造方法。
【請求項２】
工程（ａ）が気相および／または液相中において０〜３９０℃の温度および２８baraまでの高大気圧で行われる、請求項１に記載の方法。
【請求項３】
工程（ｂ）が気相および／または液相中において０〜４００℃の温度および０．１〜２０baraの圧力で行われる、請求項１または２に記載の方法。
【請求項４】
工程（ｂ）が亜鉛／クロミア触媒の存在下で行われる、請求項１〜３のいずれか一項に記載の方法。
【請求項５】
工程（ａ）が５〜２８baraの圧力で行われる、請求項１〜４のいずれか一項に記載の方法。
【請求項６】
工程（ｂ）がＨＦの存在下で行われる、請求項１〜５のいずれか一項に記載の方法。
【請求項７】
工程（ｂ）が追加ＨＦ供給の不在下で行われる、請求項１〜６のいずれか一項に記載の方法。
【請求項８】
工程（ｂ）が希釈ガスの存在下で行われる、請求項１〜７のいずれか一項に記載の方法。
【請求項９】
工程（ａ）におけるＨＦ：有機物のモル比が１：１〜１００：１である、請求項１〜８のいずれか一項に記載の方法。
【請求項１０】
工程（ｂ）におけるＨＦ：有機物のモル比が０．０１：１〜５０：１である、請求項１〜９のいずれか一項に記載の方法。
【請求項１１】
式ＣＦ３ＣＨＡＣＨ２Ｂの化合物を生成するために３，３，３‐トリフルオロプロペン（１２４３ｚｆ）を式ＡＢの化合物と接触させる工程(iii)を含んでなり、ここでＡおよびＢは独立してＨ、Ｆ、Ｃｌ、ＢｒまたはＩを表わすが、ＡおよびＢが双方ともＨまたはＦであることはない、請求項１〜１０のいずれか一項に記載の方法。
【請求項１２】
１，１，１，３‐テトラクロロプロパン（２５０ｆｂ）を３，３，３‐トリフルオロプロペン（１２４３ｚｆ）へ変換する工程（ii）を含んでなる、請求項１１に記載の方法。
【請求項１３】
エチレンおよび四塩化炭素（ＣＣｌ４）をテロメル化して１，１，１，３‐テトラクロロプロパンを生成する工程（ｉ）を含んでなる、請求項１２に記載の方法。
【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
トイレ砂ボックスと、
前記トイレ砂ボックスに対して装着可能なプログラム可能な散布デバイスであって、少なくとも１つの臭気制御カートリッジを収容すること及び前記カートリッジの内容物を散布することに対応可能である、プログラム可能な散布デバイスと、
を備える、臭気制御システム。
【請求項２】
前記プログラム可能な散布デバイスが、前記トイレ砂ボックス内における動物の存在を検出するためのセンサを備える、請求項１に記載の臭気制御システム。
【請求項３】
前記臭気制御カートリッジが、前記プログラム可能な散布デバイスに挿入可能な香料カートリッジを備える、請求項１に記載の臭気制御システム。
【請求項４】
前記香料カートリッジが、アリケート、ピラロン、リモネン、リナロール、β−フェネチルアルコール、及びβ−ミルセン、ノナジエナール、アンブロフィックス、アミルビニルカルビノール、植物性油、植物精油、及びそれらの組合せからなる群より選択される少なくとも１つの香料を貯蔵する、請求項３に記載の臭気制御システム。
【請求項５】
前記臭気制御カートリッジが、前記プログラム可能な散布デバイスに挿入可能な悪臭中和剤カートリッジを備える、請求項１に記載の臭気制御システム。
【請求項６】
前記悪臭中和剤カートリッジが、塩素化酸化剤、アルデヒド、過マンガン酸塩、過酸化物、金属酸化物、ホウ酸塩、ホウ砂、過ホウ酸塩、酵素、ウレアーゼ阻害剤、プロテアーゼ、カチオン界面活性剤、金属塩、亜鉛塩、リシノール酸亜鉛、塩化亜鉛、グルコン酸亜鉛、金属イオン、遷移金属イオン、ナノ粒子金属イオン、第二鉄塩、アルミニウム塩、銀、銅、亜鉛、炭素、酸化物、シクロデキストリン、ゼオライト、活性炭、活性アルミナ、炭酸カルシウム、シリカ、粘土鉱物、クロロフィル、金属有機骨格、モレキュラーシーブ、キレート剤、金属結合剤、及びそれらの任意の組合せからなる群より選択される少なくとも１つの悪臭中和剤を貯蔵する、請求項５に記載の臭気制御システム。
【請求項７】
前記臭気制御カートリッジが、少なくとも１つの香料及び少なくとも１つの悪臭中和剤を備える、請求項１に記載の臭気制御システム。
【請求項８】
少なくとも１つの臭気制御カートリッジを収容すること及び前記カートリッジの内容物を散布することに対応可能である、ハウジングを備える、プログラム可能な散布デバイス。
【請求項９】
前記プログラム可能な散布デバイスが、時間、周期、温度、期間、及びそれらの組合せからなる群より選択される要素に基づき、前記カートリッジから化合物を放出するようにプログラムされる、請求項８に記載のプログラム可能な散布デバイス。
【請求項１０】
前記プログラム可能な散布デバイスが、動物の存在を検出するためのセンサを備える、請求項８に記載のプログラム可能な散布デバイス。
【請求項１１】
前記プログラム可能な散布デバイスが、遠隔送信機を介してプログラム可能である、請求項８に記載のプログラム可能な散布デバイス。
【請求項１２】
前記遠隔送信機が、遠隔制御デバイス、携帯電話、インターネット、動物用首輪、ｗｉ−ｆｉデバイス、及びそれらの組合せからなる群より選択される、請求項１１に記載のプログラム可能な散布デバイス。
【請求項１３】
前記ハウジングが、トイレ砂ボックスに対して装着可能である、請求項８に記載のプログラム可能な散布デバイス。
【請求項１４】
ハウジングを備え、及び前記ハウジングにより収容され得る少なくとも１つの臭気制御カートリッジを備える、プログラム可能な散布デバイスであって、前記カートリッジの内容物を散布するように構成された、プログラム可能な散布デバイス。
【請求項１５】
前記臭気制御カートリッジが、前記プログラム可能な散布デバイスに挿入可能な香料カートリッジを備える、請求項１４に記載のプログラム可能な散布デバイス。
【請求項１６】
前記臭気制御カートリッジが、前記プログラム可能な散布デバイスに挿入可能な悪臭中和剤カートリッジを備える、請求項１４に記載のプログラム可能な散布デバイス。
【請求項１７】
前記プログラム可能な散布デバイスが、時間、周期、温度、期間、及びそれらの組合せからなる群より選択される要素に基づき、前記カートリッジから化合物を放出するようにプログラムされる、請求項１４に記載のプログラム可能な散布デバイス。
【請求項１８】
前記プログラム可能な散布デバイスが、遠隔送信機を介してプログラム可能である、請求項１４に記載のプログラム可能な散布デバイス。
【請求項１９】
前記遠隔送信機が、遠隔制御デバイス、携帯電話、インターネット、動物用首輪、ｗｉ−ｆｉデバイス、及びそれらの組合せからなる群より選択される、請求項１８に記載のプログラム可能な散布デバイス。
【請求項２０】
前記ハウジングが、トイレ砂ボックスに対して装着可能である、請求項１４に記載のプログラム可能な散布デバイス。
【請求項２１】
ハウジングと、前記ハウジング内に入れられた少なくとも１つの臭気制御化合物とを備える、カスタマイズ可能な臭気制御カートリッジであって、プログラム可能な散布デバイスにより収容され得るように構成された、カスタマイズ可能な臭気制御カートリッジ。
【請求項２２】
前記臭気制御化合物が、香料を含む、請求項２１に記載のカスタマイズ可能な臭気制御カートリッジ。
【請求項２３】
前記臭気制御化合物が、悪臭中和剤を含む、請求項２１に記載のカスタマイズ可能な臭気制御カートリッジ。
【請求項２４】
前記臭気制御化合物が、少なくとも１つの香料と、少なくとも１つの悪臭中和剤とを含む、請求項２１に記載のカスタマイズ可能な臭気制御カートリッジ。
【請求項２５】
トイレ砂ボックスと、
前記トイレ砂ボックス内に収容されるトイレ砂又は吸収性パッドの少なくとも一方と、
少なくとも１つの臭気制御カートリッジと、
前記トイレ砂ボックスに対して装着可能であるプログラム可能な散布デバイスであって、前記少なくとも１つの臭気制御カートリッジを収容すること及び前記カートリッジの内容物を散布することに対応可能である、プログラム可能な散布デバイスと、
を備える、臭気制御システム。
【手続補正書】
【提出日】平成27年10月9日(2015.10.9)
【手続補正１】
【補正対象書類名】特許請求の範囲
【補正対象項目名】全文
【補正方法】変更
【補正の内容】
【特許請求の範囲】
【請求項１】
配列番号７に示す配列および配列番号１３に示す配列から選択される重鎖ＣＤＲ１、配列番号８に示す配列および配列番号１４に示す配列から選択される重鎖ＣＤＲ２、配列番号９に示す配列および配列番号１５に示す配列から選択される重鎖ＣＤＲ３、配列番号１０に示す配列および配列番号１６に示す配列から選択される軽鎖ＣＤＲ１、配列番号１１に示す配列および配列番号１７に示す配列から選択される軽鎖ＣＤＲ２、および配列番号１２に示す配列および配列番号１８に示す配列から選択される軽鎖ＣＤＲ３、ならびにその類似体および誘導体を有する、ヒトＣＥＡＣＡＭ１を認識するモノクローナル抗体またはその抗体フラグメント。
【請求項２】
配列番号１３、１４、１５、１６、１７および１８に示すＣＤＲ配列を有する、請求項１に記載のモノクローナル抗体またはそのフラグメント。
【請求項３】
配列番号７、８、９、１０、１１および１２に示すＣＤＲ配列を有する、請求項１に記載のモノクローナル抗体またはそのフラグメント。
【請求項４】
配列番号２６に示す配列を有する重鎖可変ドメイン配列、または前記重鎖配列と少なくとも９０％の配列同一性を有するその類似体もしくは誘導体を含む、請求項１に記載のモノクローナル抗体またはそのフラグメント。
【請求項５】
配列番号２８に示す配列を有する軽鎖可変ドメイン配列、または前記軽鎖配列と少なくとも９０％の配列同一性を有するその類似体もしくは誘導体を含む、請求項１に記載のモノクローナル抗体またはそのフラグメント。
【請求項６】
配列番号２６に示す配列を有する重鎖可変ドメインおよび配列番号２８に示す配列を有する軽鎖可変ドメイン、あるいは前記抗体またはフラグメント配列と少なくとも９０％の配列同一性を有するその類似体または誘導体を含む、請求項１に記載のモノクローナル抗体またはそのフラグメント。
【請求項７】
マウスＩｇＧ２ａ、マウスＩｇＧ２ｂ、マウスＩｇＧ３、ヒトＩｇＧ１、ヒトＩｇＧ２、ヒトＩｇＧ３からなる群から選択されるフレームワーク配列を含む、請求項１〜６のいずれか一項に記載のモノクローナル抗体またはそのフラグメント。
【請求項８】
少なくとも約１０−８ＭのアフィニティでＣＥＡＣＡＭ１に結合することができる、請求項１〜６のいずれか一項に記載のモノクローナル抗体またはそのフラグメント。
【請求項９】
少なくとも約５×１０−７ＭのアフィニティでＣＥＡＣＡＭ３およびＣＥＡＣＡＭ５の少なくとも１つに結合することができる、請求項８に記載のモノクローナル抗体またはそのフラグメント。
【請求項１０】
前記モノクローナル抗体またはそのフラグメントが、キメラモノクローナル抗体である、請求項１〜９のいずれか一項に記載のモノクローナル抗体またはそのフラグメント。
【請求項１１】
配列番号３０で示される重鎖配列、または前記抗体の重鎖配列と少なくとも９０％の配列同一性を有するその類似体もしくは誘導体を含む、請求項１に記載のモノクローナル抗体またはそのフラグメント。
【請求項１２】
配列番号３１で示される軽鎖配列、または前記抗体の軽鎖配列と少なくとも９０％の配列同一性を有するその類似体もしくは誘導体を含む、請求項１に記載のモノクローナル抗体またはそのフラグメント。
【請求項１３】
配列番号３０で示される重鎖配列および配列番号３１で示される軽鎖配列、または前記配列と少なくとも９０％の配列同一性を有するその類似体もしくは誘導体を含む、請求項１に記載のモノクローナル抗体またはそのフラグメント。
【請求項１４】
請求項１〜１３のいずれか１項のモノクローナル抗体が結合するエピトープと同一のエピトープに結合することができる、ＣＥＡＣＡＭ１を認識するモノクローナル抗体、または少なくとも抗原結合部分を含むそのフラグメント。
【請求項１５】
前記エピトープが、それぞれ配列ＶＬＬＬＶＨＮＬＰＱＱＬＦ（配列番号３２）およびＹＰＮＡＳＬＬＩＱＮＶＴ（配列番号３３）を有するヒトＣＥＡＣＡＭ１の残基１７〜２９および６８〜７９中のエピトープである、請求項１４に記載のモノクローナル抗体またはそのフラグメント。
【請求項１６】
配列ＶＬＬＬＶＨＮＬＰＱＱＬＦ（配列番号３２）およびＰＮＡＳＬＬＩ（配列番号３４）、またはその親配列と少なくとも８５％の配列同一性を有する類似体もしくは誘導体を含む、単離ペプチド。
【請求項１７】
ＣＥＡＣＡＭ１を認識する抗体を産生するための、請求項１６に記載の単離ペプチドの使用。
【請求項１８】
請求項１〜１５のいずれか一項に記載のモノクローナル抗体または抗体フラグメントをコードする単離ポリヌクレオチド配列。
【請求項１９】
配列番号２５もしくは配列番号２７に示すＤＮＡ配列、または前記配列と少なくとも９０％の配列同一性を有するその類似体を含む、請求項１８に記載の単離ポリヌクレオチド配列。
【請求項２０】
請求項１８または請求項１９に記載の少なくとも１種の単離ポリヌクレオチド配列を含む、プラスミド。
【請求項２１】
２０１１年９月２８日に寄託され、ＡＴＣＣ受託番号ＰＴＡ−１２１３０である、請求項２０に記載のプラスミド。
【請求項２２】
治療有効量の請求項１〜１５のいずれか一項に記載のモノクローナル抗体またはフラグメントと、薬学的に許容可能な担体とを含む、医薬組成物。
【請求項２３】
少なくとも１種の請求項１〜１５のいずれか一項に記載のモノクローナル抗体または抗体フラグメントと、任意の担体または賦形剤とを含む、診断用組成物。
【請求項２４】
ＣＥＡＣＡＭの発現または活性化と関連する障害または疾患を処置するための医薬品を調製するための、請求項１〜１５のいずれか一項に記載のモノクローナル抗体または抗体フラグメントの使用。
【請求項２５】
前記疾患または障害が、細胞増殖性もしくは血管新生関連の疾患または障害である、請求項２４に記載の使用。
【請求項２６】
前記疾患または障害が、がんである、請求項２５に記載の使用。
【請求項２７】
前記処置が、ＣＥＡＣＡＭ発現リンパ球を、前記モノクローナル抗体または抗体フラグメントと接触させることを含む、請求項２４に記載の使用。
【請求項２８】
前記処置が、ＣＥＡＣＡＭ発現腫瘍細胞の移動を阻害するために、ＣＥＡＣＡＭ発現腫瘍細胞を、前記モノクローナル抗体または抗体フラグメントと接触させることを含む、請求項２４に記載の使用。
【請求項２９】
前記処置が、有効量の前記モノクローナル抗体または抗体フラグメント、および抗新生物組成物を投与することを含み、前記抗新生物組成物が、少なくとも１種の化学療法剤を含み、それによって、前記抗体および前記抗新生物組成物の同時投与が、生存期間または生存の進行を有効に向上させる、請求項２４に記載の使用。
【請求項３０】
前記モノクローナル抗体または抗体フラグメントが、細胞障害性部分に付着している、請求項２４に記載の使用。
【請求項３１】
細胞増殖性もしくは血管新生関連疾患または障害あるいはウイルス感染症を診断するための診断用組成物を調製するための、請求項１〜１５のいずれか一項に記載のモノクローナル抗体または抗体フラグメントの使用。
【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
核酸分子であって、
i. ミエリン塩基性タンパク質、
ii. プロテオリピドタンパク質、及び
iii. ミエリンオリゴデンドロサイト糖タンパク質
の群から選択されるヒトタンパク質に含有される少なくとも9個のアミノ酸の連続した配列を含むポリペプチドをコードするオープンリーディングフレームを有する配列を含み、
前記オープンリーディングフレームは、DC-STAMPプロモーター配列の転写制御下にある、核酸分子。
【請求項２】
請求項1記載の核酸分子、又は前記核酸分子の逆相補的配列の核酸分子を含むウイルス。
【請求項３】
前記ウイルスは、レンチウイルスである、請求項2記載のウイルス。
【請求項４】
前記レンチウイルスは、自己不活性化(SIN)レンチウイルスベクターである、請求項3記載のウイルス。
【請求項５】
請求項1記載の核酸分子を含む、単離樹状細胞。
【請求項６】
請求項3又は4に記載の前記レンチウイルスにより形質導入された、請求項5記載の単離樹状細胞。
【請求項７】
請求項1記載の核酸分子、請求項2乃至4の何れかに記載のウイルス、又は請求項5又は6記載の単離樹状細胞を含む、脱髄疾患の予防又は治療法において使用するための医薬。
【請求項８】
前記脱髄疾患が多発性硬化症である、請求項7記載の医薬。
【請求項９】
前記ウイルス又は前記樹状細胞が部分的骨髄破壊療法と共に投与されるためのものである、請求項8記載の医薬。
【請求項１０】
前記部分的骨髄破壊療法は、ブスルファンの投与を含む、請求項9記載の医薬。
【請求項１１】
患者から取得した抗原提示細胞の調製物を含む細胞調製物であって、前記抗原提示細胞が請求項1記載の核酸分子、又は請求項2乃至4の何れかに記載のウイルスを含む、細胞調製物。
【請求項１２】
前記抗原提示細胞の調製物が、骨髄由来造血幹細胞の調製物である、請求項11記載の細胞調製物。
【請求項１３】
多発性硬化症の予防又は治療法において自家使用するための、請求項11又は12記載の細胞調製物を含む細胞医薬。
【請求項１４】
前記脱髄疾患が多発性硬化症である、請求項13記載の細胞医薬。
【請求項１５】
ミエリン塩基性タンパク質、プロテオリピドタンパク質、及びミエリンオリゴデンドロサイト糖タンパク質から選択される2種類又は3種類の異なるヒトタンパク質をコードする核酸分子を含む、請求項11記載の細胞調製物。
【請求項１６】
請求項1記載の核酸分子、又は請求項2乃至4の何れかに記載のウイルスを、患者由来の抗原提示細胞の調製物に導入する、細胞調製物を生産する試験管内方法。
【請求項１７】
請求項5又は6記載の単離樹状細胞、又は請求項11又は12記載の細胞調製物を含む、脱髄疾患の治療に使用するための細胞医薬。
【請求項１８】
前記ヒトタンパク質がミエリン塩基性タンパク質である請求項5記載の単離樹状細胞と、前記ヒトタンパク質がプロテオリピドタンパク質である請求項5記載の第2の単離樹状細胞と、前記ヒトタンパク質がミエリンオリゴデンドロサイト糖タンパク質である請求項5記載の第3の単離樹状細胞とを含む、自家使用するための請求項17記載の細胞医薬。
【請求項１９】
前記脱髄疾患が多発性硬化症である、請求項18記載の細胞医薬。
【請求項２０】
前記ヒトタンパク質がミエリン塩基性タンパク質である請求項6記載の第1の単離樹状細胞と、前記ヒトタンパク質がプロテオリピドタンパク質である請求項6記載の第2の単離樹状細胞と、前記ヒトタンパク質がミエリンオリゴデンドロサイト糖タンパク質である請求項6記載の第3の単離樹状細胞とを含む細胞医薬。
【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
微生物バイオマスで均一に被覆された基材を含み、前記バイオマスが前記被覆された基材の全乾燥物質に対して乾燥物質基準で１０〜３０％である組成物。
【請求項２】
前記バイオマスが、前記被覆された基材の全乾燥物質に対して乾燥物質基準で１３〜２６％であることを特徴とする、請求項１に記載の組成物。
【請求項３】
前記被覆された基材が、親水コロイド、ガム、デキストリン、多糖類、二糖類もしくは単糖類およびそれらの誘導体から選択される少なくとも１つの化合物を含む表面保護層も含むことを特徴とする、請求項１または２に記載の組成物。
【請求項４】
前記基材が、顆粒および／または小球の形態であることを特徴とする、請求項１から３のいずれか一項に記載の組成物。
【請求項５】
前記小球が、１５０〜２０００μｍの平均径ｄ（０．５）を有することを特徴とする、請求項４に記載の組成物。
【請求項６】
前記顆粒が、１．８〜２．２ｍｍの平均長と０．４〜０．７ｍｍの平均径を有することを特徴とする、請求項４に記載の組成物。
【請求項７】
前記基材が、活性ドライイーストおよび穀物ミールから選択されることを特徴とする、請求項４に記載の組成物。
【請求項８】
前記イーストが、変性脂肪酸モノグリセリドおよびジグリセリド、ソルビタン脂肪酸エステル、グリセロールの脂肪酸エステル、プロピレングリコールの脂肪酸エステル、メチルセルロース、カルボキシメチルセルロース、ヒドロキシプロピルセルロースおよび／または後者の混合物からなる群から選択される製造添加剤または助剤を含むことを特徴とする、請求項７に記載の組成物。
【請求項９】
前記イーストが、９４％超の活性乾燥物質含量を有することを特徴とする、請求項７または８に記載の組成物。
【請求項１０】
前記ミールの含水量が８％以下であることを特徴とする、請求項７に記載の組成物。
【請求項１１】
前記イーストが、サッカロミセス属のイーストである、請求項７から９のいずれか一項に記載の組成物。
【請求項１２】
前記微生物バイオマスが、ラクトバチルス属、ペディオコッカス属、ストレプトコッカス属、ロイコノストック属、ラクトコッカス属、ビフィドバクテリウム属、プロピオニバクテリウム属およびバチルス属の１つに属する細菌からなる群から選択される細菌を少なくとも含むことを特徴とする、請求項１から１１のいずれか一項に記載の組成物。
【請求項１３】
前記細菌が、ラクトバチルス・プランタルム、ラクトバチルス・ブレビス、ラクトバチルス・カゼイ、ラクトバチルス・パラカゼイ、ラクトバチルス・サンフランシスコ、ラクトバチルス・アミロボラム、ラクトバチルス・ケフィア、ラクトバチルス・ペントサセウス、ラクトバチルス・アシディラクティシ、ラクトバチルス・ラムノサス、ロイコノストック・オエノス、ロイコノストック・メセントロイデスおよびバチルス・ズブチルスの種を含む群から選択されることを特徴とする、請求項１２に記載の組成物。
【請求項１４】
前記被覆された基材が、保護層を形成する、前記基材上に噴霧されたクリーム状のイーストからなる層も含むことを特徴とする、請求項１から１３のいずれか一項に記載の組成物。
【請求項１５】
細菌死亡率が、真空下２０℃の温度で１年間および／または空気下４℃の温度で１年間保存した後で、０．５ＬｏｇＣＦＵ／ｇ以下であることを特徴とする、請求項１から１４のいずれか一項に記載の組成物。
【請求項１６】
真空下２０℃の温度で１年間保存した後、マルトースを含む培地での酸性化試験において、３時間後に６．５から５．７へのｐＨの低下を示すことを特徴とする、請求項１から１５のいずれか一項に記載の組成物。
【請求項１７】
変性脂肪酸モノグリセリドおよびジグリセリド、ソルビタン脂肪酸エステル、グリセロールの脂肪酸エステル、プロピレングリコールの脂肪酸エステル、メチルセルロース、カルボキシメチルセルロース、ヒドロキシプロピルセルロースおよび／または後者の混合物を含む群から選択される、少なくとも１つの「乾燥」添加剤または加工助剤も含むことを特徴とする、請求項７から９及び１１から１６のいずれか一項に記載の組成物。
【請求項１８】
ｉ−高温空気の昇流が通るミキサーへ被覆可能な基材を導入する工程と、
ｉｉ−乾燥物質基準で５％を超える細菌を含む微生物バイオマスの懸濁液を噴霧する工程と、
ｉｉｉ−高温空気流を用いて、前記バイオマスの温度が４０℃を超えないように固定した温度および流速で、乾燥させる工程と、
ｉｖ−被覆可能な基材を回収する工程と、
ｖ−前記組成物を得る工程と
を含む、請求項１から１７のいずれか一項に記載の組成物の調製方法。
【請求項１９】
前記細菌の含量が、組成物の全乾燥物質に対して乾燥基準で１０〜２６％（Ｗ／Ｗ）であることを特徴とする、請求項１８に記載の方法。
【請求項２０】
工程ｉｉおよびｉｉｉが同時であることを特徴とする、請求項１８または１９に記載の方法。
【請求項２１】
前記基材を、クリーム状イーストならびに／または親水コロイド；デンプン；デキストリン；単糖類および二糖類の単独もしくは混合物からなる群から選択される化合物の噴霧によって被覆する工程も含むことを特徴とする、請求項１８から２０のいずれか一項に記載の方法。
【請求項２２】
請求項１から１７のいずれか一項に記載の組成物または請求項１８から２１のいずれか一項に記載の方法によって得られた組成物を含むスターター型の発酵活性化剤。
【請求項２３】
請求項１から１７のいずれか一項に記載の組成物または請求項１８から２１のいずれか一項に記載の方法によって得られた組成物を含むプロバイオティクス。
【請求項２４】
パン発酵剤であることを特徴とする、請求項２２に記載の活性化剤。
【請求項２５】
ワイン醸造剤であることを特徴とする、請求項２２に記載の活性化剤。
【請求項２６】
乳発酵剤であることを特徴とする、請求項２２に記載の活性化剤。
【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
ヒト若しくは動物内の、またはヒト若しくは動物上のバイオフィルムによる感染を予防及び治療するための組成物であって、少なくとも一つの他のサッカリダーゼ酵素、タンパク分解酵素、線維素溶解酵素、脂肪分解酵素、若しくはそれらの酵素のいずれかの組み合わせを含むまたは含まないトレハラーゼを有する、組成物。
【請求項２】
請求項１記載の組成物であって、さらに、抗菌薬を有し、この抗菌薬は医薬の、薬草の、あるいは栄養補給のものであり、または抗菌薬の組み合わせである、組成物。
【請求項３】
請求項１または２記載の組成物において、前記トレハラーゼは食塩水溶液中に、または粉末、ゲル、若しくは軟膏中に、またはそれらのいずれかの組み合わせの中に存在する、組成物。
【請求項４】
ヒト若しくは動物内の、またはヒト若しくは動物上のバイオフィルムによる感染のための薬剤を調製するためのトレハラーゼの使用。
【請求項５】
局所適用される請求項４記載の薬剤を調製するためのトレハラーゼの使用。
【請求項６】
気道投与される請求項４記載の薬剤を調製するためのトレハラーゼの使用。
【請求項７】
持続放出型で経口投与される請求項４記載の薬剤を調製するためのトレハラーゼの使用。
【請求項８】
尿道投与される請求項４記載の薬剤を調製するためのトレハラーゼの使用。
【請求項９】
腸へ投与される請求項４記載の薬剤を調製するためのトレハラーゼの使用。
【請求項１０】
医療材料上のバイオフィルムによる感染を予防及び治療するための組成物であって、前記材料の中に含浸されたトレハラーゼを有する、組成物。
【請求項１１】
口腔内のバイオフィルムによる感染を予防及び治療するための組成物。
【請求項１２】
トレハラーゼを有する医療機器上あるいは医療機器内のバイオフィルムによる感染を予防及び治療するための組成物。
【請求項１３】
請求項１２記載のバイオフィルムによる感染を予防及び治療するための組成物において、前記トレハラーゼは、前記医療機器の表面上に固定化されているものである、組成物。
【請求項１４】
殺生物剤を含むまたは含まないトレハラーゼを有するパイブライン内の微生物膜を予防及び治療するための組成物。
【請求項１５】
加熱、換気、および空調（ＨＶＡＣ）装置の微生物膜を予防及び治療するための組成物であって、他の酵素及び殺生物剤を含むまたは含まないトレハラーゼを有する、組成物。
【手続補正２】
【補正対象書類名】明細書
【補正対象項目名】００７１
【補正方法】変更
【補正の内容】
【００７１】
医療用および産業用途のいずれにおいても多様に考察されたバイオフィルム処理を行う従来のアプローチは、証明されておらず、有効性が限定的で、時間を消費し、表面積が大きい、または表面に繰り返し処理が必要な場合はコストがかかり、まだより新しい概念で現場応用の有効性と拡張可能性を証明する必要がある。したがって、バイオフィルムを処理するため、より効果的でコストの低い方法がまだ至急必要である。本組成物および方法は、高い効率および低いコストでバイオフィルムを処理するための、新しい独立型アプローチの可能性、さらに、そのような処理のコストを削減しながら、特定の従来型の処理を
拡大する可能性を提供する。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２０１１／０１２９４５４号明細書
（特許文献２）  米国特許第６，７５９，０４０号明細書
（特許文献３）  国際公開第２００６／０３２０１１号
（特許文献４）  米国特許出願公開第２００６／０１２１０１９号明細書
（特許文献５）  米国特許出願公開第２００９／０２０２５１６号明細書
（特許文献６）  欧州特許第０８２０５１６号明細書
（特許文献７）  欧州特許出願公開第０７４５７４６号明細書
【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
患者の指に装着されるよう構成され且つ光プレチスモグラフ波形を示す光信号を判定するよう構成された光センサであって、
前記患者の指の基部の周りに巻き付き、酸素化および脱酸素化ヘモグロビンの吸収特性の監視を可能にし且つ脈波伝播時間から血圧の判定を可能にするパルス圧力波を搬送する動脈の近位にある前記指の内側基部の上方に（ｉ）光学的放射を放出する光源と、（ｉｉ）前記動脈による反射の後に前記光学的放射を検出し前記光信号を生成するよう構成された光検出器と、を配置するよう構成されたハウジング、
を含む、光センサ。
【請求項２】
前記ハウジングは、前記患者の親指の基部の周りに巻き付くよう構成され、母指主動脈の近位にある前記親指の内側基部の上方に（ｉ）光学的放射を放出する前記光源と、（ｉｉ）前記母指主動脈による反射の後に前記光学的放射を検出し、前記光信号を生成するよう構成された前記光検出器と、を配置するよう構成された、請求項１に記載の光センサ。
【請求項３】
前記光信号を受け取り、前記光信号を光プレチスモグラフ波形に変換するよう構成された回路をさらに含む、請求項１に記載の光センサ。
【請求項４】
前記光プレチスモグラフ波形はアナログ波形である、請求項３に記載の光センサ。
【請求項５】
バンドは、前記患者の指の先端部が覆われない状態に保持されるように前記患者により装着されるよう構成された、請求項１に記載の光センサ。
【請求項６】
少なくとも２つの光源を含む、請求項１に記載の光センサ。
【請求項７】
少なくとも１つの光源は４００〜７００ｎｍの範囲で動作し、少なくとも１つの他の光源は７００〜１０００ｎｍの範囲で動作する、請求項６に記載の光センサ。
【請求項８】
光破線ボックス波形を示す光信号を取得する方法であって、
ａ）患者の指の基部の周りにハウジングを配置することであって、前記ハウジングは、（ｉ）光学的放射を放出する光源と、（ｉｉ）前記光学的放射を検出するよう構成された光検出器と、を含み、前記光源および光検出器は、母指主動脈の近位にある前記親指の内側基部の上方にそれぞれ配置されること、または、
ｂ）患者の指の基部の周りにハウジングを配置し、それにより、酸素化および脱酸素化ヘモグロビンの吸収特性の監視を可能にし且つ脈波伝播時間から血圧の判定を可能にするパルス圧力波を搬送する動脈の近位にある前記指の内側基部の上方に（ｉ）光学的放射を放出する光源と、（ｉｉ）前記動脈による反射の後に前記光学的放射を検出し前記光信号を生成するよう構成された光検出器と、を配置すること、
前記光源を作動させ、前記光学的放射で、ａ）においては前記親指を、ｂ）においては前記指を照射すること、および
前記光検出器を用いて、ａ）においては前記母指主動脈により、ｂ）においては前記動脈により反射された後に前記光学的放射を検出し、前記光検出器を用いて光信号を生成すること、
を含む、方法。
【請求項９】
前記光信号を光プレチスモグラフ波形に変換することをさらに含む、請求項８に記載の方法。
【請求項１０】
前記光プレチスモグラフ波形を用いて、前記患者に対する血中酸素飽和度レベル、脈拍数、脈波伝播時間、および血圧のうちの１つまたは複数を判定することをさらに含む、請求項９に記載の方法。
【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
マグネシウム及びその合金上にセラミック層を生成する方法であって、
インプラント及び金属シートを水性電解浴中に浸漬する工程であって、前記水性電解浴が、アンモニア、リン酸水素二アンモニウム及び尿素から本質的になり、前記インプラントが、マグネシウム又はその合金で作製されている、工程と、
前記インプラントと前記金属シートとの間を、前記水性電解浴を通じて通電させることにより陽極酸化を行う工程であって、前記インプラントが、電流源の陽極に接続され、前記金属シートが、前記電流源の陰極に接続される、工程と、
前記インプラント上で火花を形成するように選択される電流密度を印加することにより、前記インプラント上にセラミック層を形成する工程と、を含む、方法。
【請求項２】
２５体積％のアンモニアの濃度が１．０ｍｏｌ／Ｌ〜６．０ｍｏｌ／Ｌであり、リン酸水素二アンモニウムの濃度が０．０５ｍｏｌ／Ｌ〜０．２ｍｏｌ／Ｌであり、尿素の濃度が０．０１ｍｏｌ／Ｌ〜１．０ｍｏｌ／Ｌである、請求項１に記載の方法。
【請求項３】
前記水性電解浴が、１０．３〜１１．６のｐＨ値、及び１８℃〜２２℃の温度を有する、請求項１又は２に記載の方法。
【請求項４】
前記電流密度が少なくとも１Ａ／ｄｍ２である、請求項１〜３のいずれか一項に記載の方法。
【請求項５】
前記電流密度が１Ａ／ｄｍ２〜３Ａ／ｄｍ２である、請求項１〜３のいずれか一項に記載の方法。
【請求項６】
コーティングされない表面領域を電気的に絶縁することによって、前記コーティングを前記インプラントに選択的に適用する、請求項１〜５のいずれか一項に記載の方法。
【請求項７】
前記水性電解浴中に前記インプラントを浸漬するに先立って、ラッカー、フィルム又は箔等を前記コーティングされない表面領域に適用することにより、前記コーティングされない領域の電気的な絶縁を達成する、請求項６に記載の方法。
【請求項８】
骨修復用のコーティングしたインプラントであって、
マグネシウム合金から形成されたインプラント本体と、
前記インプラント本体の外面の少なくとも一部分上に配され、５０μｍまでの厚さを有する、多孔性セラミックコーティングと、
を含み、
前記コーティングが、ＭｇＯ、Ｍｇ（ＯＨ）２、Ｍｇ３（ＰＯ４）２、及びマグネシウムの合金元素の酸化物を含み、
前記インプラントが、生体適合性かつ生分解性である、コーティングしたインプラント。
【請求項９】
前記コーティングしたインプラントが、骨固定プレートの形状をしている、請求項８に記載のコーティングしたインプラント。
【請求項１０】
前記コーティングしたインプラントが、固定要素を受け入れるための１つ以上の孔を画定する１つ以上の内面を含む、請求項８又は９に記載のコーティングしたインプラント。
【請求項１１】
前記コーティングしたインプラントが、前記１つ以上の孔の周りに皿モミ構成を有する表面を含むように成形される、請求項１０に記載のコーティングしたインプラント。
【請求項１２】
前記インプラント本体が、コーティングしていない状態で、擬似体液中での分解中の水素放出速度を有し、
前記コーティングしたインプラントが、擬似体液中での分解中の水素放出速度を有し、
前記コーティングしたインプラントの前記水素放出速度が、４０日までの期間にわたり、コーティングしていない状態の前記インプラント本体と比較して、１０％〜５０％減少されている、請求項８〜１１のいずれか一項に記載のコーティングしたインプラント。
【請求項１３】
前記コーティングが、前記インプラント本体の前記外面全体に配される、請求項８〜１２のいずれか一項に記載のコーティングしたインプラント。
【請求項１４】
前記内面が、前記コーティングを含まない、請求項１０〜１３のいずれか一項に記載のコーティングしたインプラント。
【請求項１５】
前記皿モミ構成を有する表面が、前記コーティングを含まない、請求項１１〜１４のいずれか一項に記載のコーティングしたインプラント。
【請求項１６】
前記多孔性セラミックコーティングが、２μｍ〜２０μｍの厚さを有する、請求項８〜１５のいずれか一項に記載のコーティングしたインプラント。
【請求項１７】
前記多孔性セラミックコーティングが、アミン分解生成物を含まない、請求項８〜１５のいずれか一項に記載のコーティングしたインプラント。